(57)【要約】【課題】複雑な調光システムであっても迅速に構築でき、予備の機器が発生せず、かつ演算処理による遅延が少ない調光データ処理装置を提供する。【解決手段】各調光卓２から入力された調光信号を、照明機器の調光レベルデータ（Ｃｈａｎｎｅｌデータ）毎に処理するチャネルデータ処理装置１を介して、照明機器３が接続された複数の信号線上に出力する。つまり、各照明機器３において所望の調光レベルを実現できるように、各調光卓２から入力された複数のＤＭＸ信号から、夫々必要なＣｈａｎｎｅｌを選択して、それらの選択したＣｈａｎｎｅｌに格納された調光レベルデータを夫々読み出し、所定の処理を行い、再び一つのＤＭＸ信号として、各信号線上に夫々出力するものである。また、このチャネルデータ処理装置１の処理を、遠隔に配置した外部装置４から設定できるようにする。【選択図】　　　　図１
2004119334.tif 000002
【特許請求の範囲】
【請求項１】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出し、所定の処理を行って前記出力データ用バッファの所定の記憶領域に夫々格納させる制御部とを備えていることを特徴とする調光データ処理装置。
【請求項２】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、前記出力データ用バッファの所定の記憶領域に夫々格納されるように、当該複数の調光レベルデータを合成するデータ合成部とを備えていることを特徴とする調光データ処理装置。
【請求項３】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファにおける所定の複数の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、それらの調光レベルデータ同士の演算処理を行って、前記出力データ用バッファの所定の記憶領域に夫々格納されるように、当該複数の調光レベルデータを合成するデータ合成部とを備えていることを特徴とする調光データ処理装置。
【請求項４】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光レベルデータを格納する合成用データ記憶部と、
前記データ合成部で合成された複数の調光レベルデータのうち一乃至複数の所定の調光レベルデータを、前記合成用データ記憶部に記憶された調光レベルデータに置き換えて、前記出力データ用バッファの所定の記憶領域に夫々格納されるように、その置き換えた調光レベルデータと置き換えていない調光レベルデータとを合成する既存データ合成部とを備えていることを特徴とする調光データ処理装置。
【請求項５】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光信号の全ての調光レベルデータを格納する合成用データ記憶部と、前記データ合成部で合成された複数の調光レベルデータを、前記出力データ用バッファの所定の記憶領域に夫々格納されるように、前記合成用データ記憶部に記憶された全ての調光レベルデータに置き換える既存データ合成部とを備えていることを特徴とする調光データ処理装置。
【請求項６】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光レベルデータを格納する合成用データ記憶部と、
前記データ合成部で合成された複数の調光レベルデータのうち所定の調光レベルデータを、その所定の調光レベルデータと前記合成用データ記憶部に記憶された調光レベルデータとの演算処理を行って得られた調光レベルデータに置き換えて、前記出力データ用バッファの所定の記憶領域に夫々格納されるように、その置き換えた調光レベルデータと置き換えていない調光レベルデータとを合成する既存データ合成部とを備えていることを特徴とする調光データ処理装置。
【請求項７】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光信号の全ての調光レベルデータを格納する合成用データ記憶部と、前記データ合成部で合成された複数の調光レベルデータを、それらの調光レベルデータと前記合成用データ記憶部に記憶された全ての調光レベルデータとの演算処理を行って得られた調光レベルデータに置き換えて、前記出力データ用バッファの所定の記憶領域に夫々格納されるように、当該演算処理の結果得られた全ての調光レベルデータに置き換える既存データ合成部とを備えていることを特徴とする調光データ処理装置。
【請求項８】
照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファにおける所定の複数の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出し、それらの調光レベルデータを比較して最もレベルの高いデータを選択し、その選択された調光レベルデータを前記出力データ用バッファの所定の記憶領域に夫々格納されるように、当該調光レベルの高いデータを抽出するハイエストデータ抽出部とを備えていることを特徴とする調光データ処理装置。
【請求項９】
照明機器の調光レベルデータを格納するためのデータ領域を複数備えた調光信号が複数入力され、その入力された複数の調光信号の中から所定数の調光信号を選択して出力する一方、その選択された調光信号の処理を行わせるための制御指令を出力する制御ユニットと、その制御ユニットから出力される調光信号を前記制御指令に従って処理して、前記照明機器が複数接続された所定の信号線上に出力する出力ユニットとを備えた調光データ処理装置であって、前記制御ユニットは、入力された調光信号の選択及び出力ユニットにおける調光信号の処理についての設定情報を記憶するユニット設定データ記憶部と、そのユニット設定データ記憶部を参照して設定情報を読み取り、その設定情報に従って入力された複数の調光信号を選択する一方、その選択された調光信号の処理を出力ユニットに行わせるための制御指令を作成する制御部とを備え、
前記出力ユニットは、当該制御ユニットから出力された調光信号から、夫々調光レベルデータを抽出して格納する入力データ用バッファと、その入力データ用バッファから読み出した所定の調光レベルデータに対し、当該制御ユニットで設定された設定情報に基づいて所定の処理を行って、当該調光信号における所定のデータ領域へ格納するための設定情報を記憶する設定データ記憶部と、
その設定データ記憶部に記憶された情報に基づいて、前記入力データ用バッファから複数の調光レベルデータを読み出し、前記データ領域に夫々格納されるように、当該複数の調光レベルデータの処理を行う制御部と、その制御部で処理された複数の調光レベルデータを格納し、それらの格納された調光レベルデータを当該調光信号として出力させるための出力データ用バッファと、を備えていることを特徴とする調光データ処理装置。
【請求項１０】
複数の調光レベルデータを合成するデータ合成部を備え、調光レベルデータの処理を行う前記制御部は、当該設定データ記憶部に記憶された情報に基づいて、前記データ合成部においてそれら複数の調光レベルデータを合成させることを特徴とする請求項１又は請求項９記載の調光データ処理装置。
【請求項１１】
複数の調光レベルデータを比較し調光レベルの高いデータを選択するハイエストデータ抽出部を備え、調光レベルデータの処理を行う前記制御部は、当該設定データ記憶部に記憶された情報に基づいて、前記ハイエストデータ抽出部において調光レベルの高いデータを選択させることを特徴とする請求項１又は請求項９又は請求項１０記載の調光データ処理装置。
【請求項１２】
任意の調光レベルデータを格納する合成用データ記憶部と、入力された調光信号の調光レベルデータ若しくは、前記制御部において処理された調光レベルデータのうち一乃至複数の所定の調光レベルデータを、前記合成用データ記憶部に記憶された調光レベルデータに置き換えて、その置き換えた調光レベルデータと置き換えていない調光レベルデータとを合成する既存データ合成部とを備え、調光レベルデータの処理を行う前記制御部は、当該設定データ記憶部に記憶された情報に基づいて、当該既存データ合成部において調光レベルデータを合成させて、調光信号を作成することを特徴とする請求項１又は請求項８乃至１１何れか記載の調光データ処理装置。
【請求項１３】
任意の調光信号における全ての調光レベルデータを格納する合成用データ記憶部と、入力された調光信号の調光レベルデータ若しくは、前記制御部において処理された調光レベルデータを、前記合成用データ記憶部に記憶された全ての調光レベルデータに置き換える既存データ合成部とを備え、調光レベルデータの処理を行う前記制御部は、当該設定データ記憶部に記憶された情報に基づいて、当該既存データ合成部において調光レベルデータを置き換えさせて、調光信号を作成することを特徴とする請求項１又は請求項８乃至１２何れか記載の調光データ処理装置。
【請求項１４】
任意の調光レベルデータを格納する合成用データ記憶部と、入力された調光信号の調光レベルデータ若しくは、前記制御部において処理された調光レベルデータのうち一乃至複数の所定の調光レベルデータを、その所定の調光レベルデータと前記合成用データ記憶部に記憶された調光レベルデータとの演算処理を行って得られた調光レベルデータに置き換えて、その置き換えた調光レベルデータと置き換えていない調光レベルデータとを合成する既存データ合成部とを備え、調光レベルデータの処理を行う前記制御部は、当該設定データ記憶部に記憶された情報に基づいて、当該既存データ合成部において調光レベルデータを合成させて、調光信号を作成することを特徴とする請求項１又は請求項８乃至１３何れか記載の調光データ処理装置。
【請求項１５】
任意の調光信号における全ての調光レベルデータを格納する合成用データ記憶部と、入力された調光信号の調光レベルデータ若しくは、前記制御部において処理された調光レベルデータを、それらの調光レベルデータと前記合成用データ記憶部に記憶された全ての調光レベルデータとの演算処理を行って得られた調光レベルデータに置き換える既存データ合成部とを備え、調光レベルデータの処理を行う前記制御部は、当該設定データ記憶部に記憶された情報に基づいて、当該既存データ合成部において調光レベルデータを置き換えさせて、調光信号を作成することを特徴とする請求項１又は請求項８乃至１４何れか記載の調光データ処理装置。
【請求項１６】
入力された調光信号の調光レベルデータ若しくは、前記制御部において処理された調光レベルデータを複製するデータ複製部を備え、調光レベルデータの処理を行う前記制御部は、当該設定データ記憶部に記憶された情報に基づいて、前記データ複製部において調光レベルデータを複製させて、調光信号を作成することを特徴とする請求項１又は請求項８乃至１５何れか記載の調光データ処理装置。
【請求項１７】
前記設定データ記憶部又は前記ユニット設定データ記憶部に情報を格納するための外部装置と接続されることを特徴とする請求項１乃至１６何れか記載の調光データ処理装置。
【請求項１８】
前記設定データ記憶部又は前記ユニット設定データ記憶部を参照して設定情報を読み取り、当該設定情報を外部装置で視認可能とするための可視化部を備えたことを特徴とする請求項１乃至１７何れか記載の調光データ処理装置。
【請求項１９】
前記設定データ記憶部又は前記ユニット設定データ記憶部を参照して設定情報を読み取り、未設定の調光レベルデータの有無を検出する未設定検出部を備えたことを特徴とする請求項１乃至１８何れか記載の調光データ処理装置。
【請求項２０】
前記合成用データ記憶部に情報を格納するための外部装置と接続されることを特徴とする請求項１乃至１９何れか記載の調光データ処理装置。
【請求項２１】
前記出力データ用バッファに格納された調光レベルデータを外部装置に出力するためのＥｔｈｅｒｎｅｔ（登録商標）インターフェースを備えていることを特徴とする請求項１乃至２０何れか記載の調光データ処理装置。
【発明の詳細な説明】
【０００１】
【発明の属する技術分野】
本発明は、調光卓から出力される調光信号を処理し、その処理された信号を、照明機器が接続された所定の信号線上に出力する調光データ処理装置に関するものである。
【０００２】
【従来の技術】
従来から、図１４に示すように、複数の調光卓２から出力される調光信号を、照明機器３が接続された複数の信号線上に夫々出力するために、調光卓２から導出された信号線と接続する複数の入力端子と、照明機器３が接続された信号線と接続する複数の出力端子とを、夫々一対一で接続するためのパッチ盤２１と、一つの信号線上の調光信号を複数の信号線上に出力するスプリット２２と、入力された二つの調光信号から調光レベルの高いデータを選択して、一つの調光信号に合成するＭＩＸ装置２３とを備えた調光配線システムが知られている。
【０００３】
上述の調光信号としては、ＲＳ４８５の一種であるＵＳＩＴＴ規格のＤＭＸ５１２が一般的であり、この信号のフォーマットは、データの先頭を見つけるためのＢｒｅａｋと、調光データ以外のデータ伝送を識別するためのＳｔａｒｔ　Ｃｏｄｅと、夫々２５５段階の調光レベルを含んだ５１２個のＣｈａｎｎｅｌと、夫々のＣｈａｎｎｅｌを仕切るＴｉｍｅ　Ｂｅｔｗｅｅｎｎ　Ｆｒａｍｅとから構成されている。Ｃｈａｎｎｅｌは、照明機器３の調光レベルデータを格納するためのデータ領域であって、５１２個あることから、１つの信号線あたり５１２台の照明機器３を接続して、それら照明機器３夫々の調光レベルを２５５段階に制御することが可能となっている。
【０００４】
ここで、５つＣｈａｎｎｅｌを持ったＤＭＸ信号を例に挙げ、当該調光配線システムの各機器についてより詳細に説明すると、調光卓２は、図１５（ａ）に示すように、調光レベルを可変可能なスライドスイッチであるフェーダ２ａを複数備えており、これらのフェーダ２ａによって、所望の調光レベルが設定されると、それらの調光レベルがデータとして各Ｃｈａｎｎｅｌ内に格納されて、一つのＤＭＸ信号が出力されるようになっている。パッチ盤２１は、複数の入力端子と複数の出力端子とを、夫々一対一で接続するために、当該接続を手動で切り替えるための機器であって、図１５（ｂ）に示すように、例えば、入力端子▲１▼〜▲４▼を夫々出力端子▲５▼〜▲８▼の何れかに接続できるようになっている。
【０００５】
尚、パッチ盤２１は上述したように手動で切り替えを行う機器であるが、情報配線システムの分野では、例えば特開平７−２１１３７５号などのように、切り替えを自動化したものが知られている。スプリット２２は、一つの信号線から入力されたＤＭＸ信号を複製して、複数の信号線上に当該複製したＤＭＸ信号を出力するものであり、例えば、図１５（ｃ）に示すように、入力端子▲１▼から、Ｃｈａｎｎｅｌ１〜５に夫々調光レベル０〜４が格納されたＤＭＸ信号が入力されると、その信号をそのまま複製して、出力端子▲２▼及び▲３▼から、Ｃｈａｎｎｅｌ１〜５に夫々調光レベル０〜４が格納された一つのＤＭＸ信号を出力するようになっている。
【０００６】
ＭＩＸ装置２３は、入力された２つのＤＭＸ信号から、Ｃｈａｎｎｅｌ１同士、Ｃｈａｎｎｅｌ２同士といったように、夫々対応するＣｈａｎｎｅｌ毎に、当該Ｃｈａｎｎｅｌに格納されたデータを比較し、調光レベルの大きい方のデータを選択して、信号線上に一つのＤＭＸ信号を出力する機器である。例えば、図１５（ｄ）に示すように、入力端子▲１▼からＣｈａｎｎｅｌ１〜２に夫々調光レベル１〜２、その他のＣｈａｎｎｅｌに調光レベル０が格納されたＤＭＸ信号が入力される一方、入力端子▲２▼からＣｈａｎｎｅｌ３〜５に夫々調光レベル３〜５、その他のＣｈａｎｎｅｌに調光レベル０が格納されたＤＭＸ信号が入力された場合には、Ｃｈａｎｎｅｌ　１〜５に夫々１〜５の調光レベルが格納したＤＭＸ信号が出力端子▲３▼から出力されるようになっている。
【０００７】
ところで、上述の調光配線システムにおいて、パッチ盤２１への入力の数と、信号線の数とが同一でない場合、例えば、少数の調光卓２でその数を上回る信号線上の照明機器３を制御しようとすると、夫々の照明機器３が所望の調光レベルとなるように、パッチ盤２１の切り替えを行い、必要に応じてスプリット２２、ＭＩＸ装置２３を組み合せて、調光卓２の設定を行わなければならない。しかしながら、上述の調光配線システムの各機器における処理は、ＤＭＸ信号全体の処理、換言すると全てのＣｈａｎｎｅｌが処理されるため、ある信号線上の照明機器３の調光レベルを変更すると、設定を変更したくないにも係わらず、他の信号線上の照明機器３の調光レベルまで変更されてしまうことになる。
【０００８】
具体的に図１６（ａ）に示す調光配線システムに基づいて説明すると、同図に示すように、調光卓２ａから出力されるＤＭＸ信号は、Ｃｈａｎｎｅｌ１及び２に夫々調光レベル１及び２が格納されている一方、調光卓２ｂから出力されるＤＭＸ信号は、Ｃｈａｎｎｅｌ１及び２に夫々調光レベル２及び１が格納されている。パッチ盤２１では、入力端子▲１▼と出力端子▲３▼とが接続されると共に、入力端子▲２▼と出力端子▲４▼とが接続され、調光卓２ａから出力されるＤＭＸ信号は、出力端子▲３▼に接続された信号線上に出力され、調光卓２ｂから出力されるＤＭＸ信号は、出力端子▲４▼に接続された信号線上に夫々出力される。
【０００９】
夫々の信号線は、スプリット２２ａ及び２２ｂと接続され、さらにスプリット２２ａ及び２２ｂ夫々から出力される一方の信号線は、夫々ＭＩＸ装置２３に入力されている。ここで、スプリット２２ａ及び２２ｂから出力される他方の信号線を夫々２４ａ及び２４ｃとすると、信号線２４ａ上には、Ｃｈａｎｎｅｌ１及び２に夫々調光レベル１及び２が格納されたＤＭＸ信号が出力される一方、信号線２４ｂには、Ｃｈａｎｎｅｌ１及び２に夫々調光レベル２及び１が格納さたＤＭＸ信号が出力される。また、ＭＩＸ装置２３の出力に接続された信号線を２４ｂとすると、当該信号線２４ｂ上には、Ｃｈａｎｎｅｌ１及び２に夫々同一の調光レベル２が格納されたＤＭＸ信号が出力される。
【００１０】
従って、信号線２４ａに接続された照明機器３ａ及び３ｂには夫々調光レベル１及び２が割り当てられると共に、信号線２４ｃに接続された照明機器３ｅ及び３ｆには夫々調光レベル２及び１が割り当てられ、さらに、信号線２４ｂに接続された照明機器３ｃ及び３ｄには、夫々同一の調光レベル２が割り当てられる。ここで、照明機器３ｃの調光レベルを２から１に変更することを考えると、調光卓２において、Ｃｈａｎｎｅｌ１の調光レベルの設定を、２から１に変更すれば良いが、スプリット２２ｂによって分岐しているため、照明機器３ｅの調光レベルも１となる。
【００１１】
このとき、照明機器３ｅの調光レベルも併せて１にする場合には問題ないが、照明機器３ｅの調光レベルは２のままにしたい場合には、最早現状のシステム構成では実現できず、システム構成の変更が必要となる。具体的に説明すると、調光卓２ａ及び２ｂの設定を変えることなく、図１６（ｂ）に示すように、信号線２４ｂをＭＩＸ装置２３を介さずに直接スプリット２２ａに接続すれば良く、スプリット２２ｂは不要となる。尚、簡単のために２つの調光卓２ａ及び２ｂを備え、２つのＣｈａｎｎｅｌにのみ調光レベルデータが格納されているとして、３つの信号線２４ａ〜２４ｃ上に出力する場合について説明したが、実際には、さらに多くの調光卓２を備え、上述したようにＣｈａｎｎｅｌも５１２個存在している。
【００１２】
【発明が解決しようとする課題】
このように、上述の調光配線システムにあっては、所望の調光レベルを実現するために、スプリット２２等の各種機器の組み合せを考慮しなければならず、調光卓２と信号線が複数あるような複雑な調光システムにあっては、設計に熟練を要すると共に、複数の公演の開催が予定されており、夫々の公演の間隔が短いような場合、短時間で接続を終了しなければならないにも係わらず、迅速に配線することができないという問題がある。また、調光レベルの設定によっては、上述したようにＭＩＸ装置２３等の機器が不要となる場合があるにも係わらず、多様な演出を考慮して予備の機器を備えておく必要があり、経済的にも好ましくないものであった。
【００１３】
さらに、ＭＩＸ装置２３は、上述したように、複数のＤＭＸ信号から調光レベルの大きい方のデータを選択するという処理を行うので、必然的にレベルの大小を比較するための演算処理が用いられる。このため、当該ＭＩＸ装置２３にＤＭＸ信号が入力されてから、処理されたＤＭＸ信号が出力されるまでには、演算処理分の若干の遅延が発生する。当該遅延は一つのＭＩＸ装置２３を用いる場合には、左程問題とならないが、複雑な調光システムの場合には、当該ＭＩＸ装置２３を直列的に数台接続することがあり、コンサート等、目紛しくシーンが変化する場合には遅延を無視することができなくなるという問題があった。
【００１４】
本発明は、上記の問題点に鑑みてなされたものであり、その目的とするところは、複雑な調光システムであっても迅速に構築することができると共に、予備の機器が発生せず、かつ演算処理による遅延が少ない調光データ処理装置を提供することにある。
【００１５】
【課題を解決するための手段】
かかるシステムを提供するために、本願の発明者らは、まず上述の調光配線システムが、何故各種機器を用いなければならないのかについて検討をしたところ、各機器における処理が、調光信号全体の処理、すなわち複数ある照明機器の全ての調光レベルデータが一単位として処理されること、換言すると、ＤＭＸ信号全体の処理、すなわち全てのＣｈａｎｎｅｌが一単位として処理されることに起因することを見出した。そこで、本願の発明者らは、その基本的な解決手段として、図１に示すように、各調光卓２から入力された調光信号を、照明機器の調光レベルデータ（Ｃｈａｎｎｅｌデータ）毎に処理するチャネルデータ処理装置１を介して、照明機器３が接続された複数の信号線上に出力することに想到した。
【００１６】
つまり、各照明機器３において所望の調光レベルを実現できるように、各調光卓２から入力された複数のＤＭＸ信号から、夫々必要なＣｈａｎｎｅｌを選択して、それらの選択したＣｈａｎｎｅｌに格納された調光レベルデータを夫々読み出し、所定の処理を行い、再び一つのＤＭＸ信号として、各信号線上に夫々出力することに想到したものである。また、このチャネルデータ処理装置１の処理を、遠隔に配置した外部装置４から設定できるようにすることも併せて想到した。
【００１７】
より具体的には、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出し、所定の処理を行って前記出力データ用バッファの所定の記憶領域に夫々格納させる制御部とを備えていることを特徴としたものである（請求項１）。
【００１８】
また、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、前記出力データ用バッファの所定の記憶領域に夫々格納されるように、当該複数の調光レベルデータを合成するデータ合成部とを備えていることを特徴としたものも良い（請求項２）。
【００１９】
また、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファにおける所定の複数の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、それらの調光レベルデータ同士の演算処理を行って、前記出力データ用バッファの所定の記憶領域に夫々格納されるように、当該複数の調光レベルデータを合成するデータ合成部とを備えていることを特徴としたものも良い（請求項３）。
【００２０】
また、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光レベルデータを格納する合成用データ記憶部と、
前記データ合成部で合成された複数の調光レベルデータのうち一乃至複数の所定の調光レベルデータを、前記合成用データ記憶部に記憶された調光レベルデータに置き換えて、前記出力データ用バッファの所定の記憶領域に夫々格納されるように、その置き換えた調光レベルデータと置き換えていない調光レベルデータとを合成する既存データ合成部とを備えていることを特徴としたものも良い（請求項４）。
【００２１】
また、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光信号の全ての調光レベルデータを格納する合成用データ記憶部と、前記データ合成部で合成された複数の調光レベルデータを、前記出力データ用バッファの所定の記憶領域に夫々格納されるように、前記合成用データ記憶部に記憶された全ての調光レベルデータに置き換える既存データ合成部とを備えていることを特徴としたものも良い（請求項５）。
【００２２】
また、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光レベルデータを格納する合成用データ記憶部と、
前記データ合成部で合成された複数の調光レベルデータのうち所定の調光レベルデータを、その所定の調光レベルデータと前記合成用データ記憶部に記憶された調光レベルデータとの演算処理を行って得られた調光レベルデータに置き換えて、前記出力データ用バッファの所定の記憶領域に夫々格納されるように、その置き換えた調光レベルデータと置き換えていない調光レベルデータとを合成する既存データ合成部とを備えていることを特徴としたものも良い（請求項６）。
【００２３】
また、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファの所定の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出して、当該複数の調光レベルデータを合成するデータ合成部と、
任意の調光信号の全ての調光レベルデータを格納する合成用データ記憶部と、前記データ合成部で合成された複数の調光レベルデータを、それらの調光レベルデータと前記合成用データ記憶部に記憶された全ての調光レベルデータとの演算処理を行って得られた調光レベルデータに置き換えて、前記出力データ用バッファの所定の記憶領域に夫々格納されるように、当該演算処理の結果得られた全ての調光レベルデータに置き換える既存データ合成部とを備えていることを特徴としたものも良い（請求項７）。
【００２４】
また、照明機器の調光レベルデータを格納するためのデータ領域を複数備えた一乃至複数の調光信号から、夫々調光レベルデータを抽出して、前記データ領域に対応して設けられた複数の記憶領域に格納する入力データ用バッファと、
その入力データ用バッファ内の調光レベルデータを処理して、一乃至複数の調光信号として出力するために、当該出力する一乃至複数の調光信号夫々のデータ領域に対応して設けられた複数の記憶領域を具備し、それらの記憶領域に処理した調光レベルデータを格納する出力データ用バッファと、
前記入力データ用バッファにおける所定の複数の記憶領域と、前記出力データ用バッファの所定の記憶領域とを対応づけて記憶する設定データ記憶部と、
その設定データ記憶部に記憶された情報に基づいて、前記入力データ用バッファから複数の調光レベルデータを読み出し、それらの調光レベルデータを比較して最もレベルの高いデータを選択し、その選択された調光レベルデータを前記出力データ用バッファの所定の記憶領域に夫々格納されるように、当該調光レベルの高いデータを抽出するハイエストデータ抽出部とを備えていることを特徴としたものも良い（請求項８）。
【００２５】
また、照明機器の調光レベルデータを格納するためのデータ領域を複数備えた調光信号が複数入力され、その入力された複数の調光信号の中から所定数の調光信号を選択して出力する一方、その選択された調光信号の処理を行わせるための制御指令を出力する制御ユニットと、その制御ユニットから出力される調光信号を前記制御指令に従って処理して、前記照明機器が複数接続された所定の信号線上に出力する出力ユニットとを備えた調光データ処理装置であって、
前記制御ユニットは、入力された調光信号の選択及び出力ユニットにおける調光信号の処理についての設定情報を記憶するユニット設定データ記憶部と、そのユニット設定データ記憶部を参照して設定情報を読み取り、その設定情報に従って入力された複数の調光信号を選択する一方、その選択された調光信号の処理を出力ユニットに行わせるための制御指令を作成する制御部とを備え、
前記出力ユニットは、当該制御ユニットから出力された調光信号から、夫々調光レベルデータを抽出して格納する入力データ用バッファと、その入力データ用バッファから読み出した所定の調光レベルデータに対し、当該制御ユニットで設定された設定情報に基づいて所定の処理を行って、当該調光信号における所定のデータ領域へ格納するための設定情報を記憶する設定データ記憶部と、
その設定データ記憶部に記憶された情報に基づいて、前記入力データ用バッファから複数の調光レベルデータを読み出し、前記データ領域に夫々格納されるように、当該複数の調光レベルデータの処理を行う制御部と、その制御部で処理された複数の調光レベルデータを格納し、それらの格納された調光レベルデータを当該調光信号として出力させるための出力データ用バッファと、を備えていることを特徴としたものも良い（請求項９）。
【００２６】
さらに、請求項１又は請求項９記載の調光データ処理装置であって、複数の調光レベルデータを合成するデータ合成部を備え、調光レベルデータの処理を行う前記制御部は、当該設定データ記憶部に記憶された情報に基づいて、前記データ合成部においてそれら複数の調光レベルデータを合成させることを特徴としたものも良い（請求項１０）。
【００２７】
さらに、請求項１又は請求項９又は請求項１０記載の調光データ処理装置であって、複数の調光レベルデータを比較し調光レベルの高いデータを選択するハイエストデータ抽出部を備え、調光レベルデータの処理を行う前記制御部は、当該設定データ記憶部に記憶された情報に基づいて、前記ハイエストデータ抽出部において調光レベルの高いデータを選択させることを特徴としたものも良い（請求項１１）。
【００２８】
さらに、請求項１又は請求項８乃至１１何れか記載の調光データ処理装置であって、任意の調光レベルデータを格納する合成用データ記憶部と、入力された調光信号の調光レベルデータ若しくは、前記制御部において処理された調光レベルデータのうち一乃至複数の所定の調光レベルデータを、前記合成用データ記憶部に記憶された調光レベルデータに置き換えて、その置き換えた調光レベルデータと置き換えていない調光レベルデータとを合成する既存データ合成部とを備え、調光レベルデータの処理を行う前記制御部は、当該設定データ記憶部に記憶された情報に基づいて、当該既存データ合成部において調光レベルデータを合成させて、調光信号を作成することを特徴としたものも良い（請求項１２）。
【００２９】
さらに、請求項１又は請求項８乃至１２何れか記載の調光データ処理装置であって、任意の調光信号における全ての調光レベルデータを格納する合成用データ記憶部と、入力された調光信号の調光レベルデータ若しくは、前記制御部において処理された調光レベルデータを、前記合成用データ記憶部に記憶された全ての調光レベルデータに置き換える既存データ合成部とを備え、調光レベルデータの処理を行う前記制御部は、当該設定データ記憶部に記憶された情報に基づいて、当該既存データ合成部において調光レベルデータを置き換えさせて、調光信号を作成することを特徴としたものも良い（請求項１３）。
【００３０】
さらに、請求項１又は請求項８乃至１３何れか記載の調光データ処理装置であって、任意の調光レベルデータを格納する合成用データ記憶部と、入力された調光信号の調光レベルデータ若しくは、前記制御部において処理された調光レベルデータのうち一乃至複数の所定の調光レベルデータを、その所定の調光レベルデータと前記合成用データ記憶部に記憶された調光レベルデータとの演算処理を行って得られた調光レベルデータに置き換えて、その置き換えた調光レベルデータと置き換えていない調光レベルデータとを合成する既存データ合成部とを備え、調光レベルデータの処理を行う前記制御部は、当該設定データ記憶部に記憶された情報に基づいて、当該既存データ合成部において調光レベルデータを合成させて、調光信号を作成することを特徴としたものも良い（請求項１４）。
【００３１】
さらに、請求項１又は請求項８乃至１４何れか記載の調光データ処理装置であって、任意の調光信号における全ての調光レベルデータを格納する合成用データ記憶部と、入力された調光信号の調光レベルデータ若しくは、前記制御部において処理された調光レベルデータを、それらの調光レベルデータと前記合成用データ記憶部に記憶された全ての調光レベルデータとの演算処理を行って得られた調光レベルデータに置き換える既存データ合成部とを備え、調光レベルデータの処理を行う前記制御部は、当該設定データ記憶部に記憶された情報に基づいて、当該既存データ合成部において調光レベルデータを置き換えさせて、調光信号を作成することを特徴としたものも良い（請求項１５）。
【００３２】
さらに、請求項１又は請求項８乃至１５何れか記載の調光データ処理装置であって、入力された調光信号の調光レベルデータ若しくは、前記制御部において処理された調光レベルデータを複製するデータ複製部を備え、調光レベルデータの処理を行う前記制御部は、当該設定データ記憶部に記憶された情報に基づいて、前記データ複製部において調光レベルデータを複製させて、調光信号を作成することを特徴としたものも良い（請求項１６）。
【００３３】
さらに、請求項１乃至１６何れか記載の調光データ処理装置であって、前記設定データ記憶部又は前記ユニット設定データ記憶部に情報を格納するための外部装置と接続されることを特徴としたものも良い（請求項１７）。
【００３４】
さらに、請求項１乃至１７何れか記載の調光データ処理装置であって、前記設定データ記憶部又は前記ユニット設定データ記憶部を参照して設定情報を読み取り、当該設定情報を外部装置で視認可能とするための可視化部を備えたことを特徴としたものも良い（請求項１８）。
【００３５】
さらに、請求項１乃至１８何れか記載の調光データ処理装置であって、前記設定データ記憶部又は前記ユニット設定データ記憶部を参照して設定情報を読み取り、未設定の調光レベルデータの有無を検出する未設定検出部を備えたことを特徴としたものも良い（請求項１９）。
【００３６】
さらに、請求項１乃至１９何れか記載の調光データ処理装置であって、前記合成用データ記憶部に情報を格納するための外部装置と接続されることを特徴としたものも良い（請求項２０）。
【００３７】
さらに、請求項１乃至２０何れか記載の調光データ処理装置であって、前記出力データ用バッファに格納された調光レベルデータを外部装置に出力するためのＥｔｈｅｒｎｅｔ（登録商標）インターフェースを備えていることを特徴としたものも良い（請求項２１）。
【００３８】
【発明の実施の形態】
次に、上述の各解決手段を具体的な実施形態として、以下に詳細に説明する。
［第１の実施の形態］
（システムの構成）
まず本実施形態のチャネルデータ処理装置１の構成につき、図１及び図２に示すブロック図を用いて説明する。図２に示すように、チャネルデータ処理装置１は、Ｃｈａｎｎｅｌ毎のデータ処理の設定を行うための外部装置４と通信するためのデータ通信部５と、当該外部装置４から入力されたデータ処理の設定を設定データ記憶部７へと出力したり、入力手段（図示せず）より単独でＣｈａｎｎｅｌ毎のデータ処理の設定を行うための設定部６とを備えている。ここで、外部装置４は、一般的なコンピュータであって、データ通信部５との間で通信を行うために、例えば１０ＢＡＳＥ−Ｔ等のＥｔｈｅｒｎｅｔ（登録商標）のインターフェースを具備すると共に、チャネルデータ処理装置１の設定状況等を表示するためのＷｅｂ機能を搭載している。
【００３９】
また、チャネルデータ処理装置１は、調光卓２から出力されるＤＭＸ信号を入力するための複数の入力端子を具備したＤＭＸ入力部８と、その入力されたＤＭＸ信号からデータ（少なくとも全てのＣｈａｎｎｅｌデータを意味する。以下、ＤＭＸデータという）を抽出し、夫々入力端子毎に割り当てられたバッファ９ａ〜９ｄ…に格納する入力データ用バッファ９と、その格納された複数のＤＭＸデータから夫々、設定データ記憶部７に設定された情報に従って複数のＣｈａｎｎｅｌデータを選択し、一つのＤＭＸデータとして合成するチャネルデータ合成部１０と、その作成されたＤＭＸデータを夫々出力端子毎に割り当てられたバッファ１１ａ〜１１ｅ…に格納する出力データ用バッファ１１と、そのバッファに格納されたデータを、照明機器３が接続された各信号線上に出力するための複数の出力端子を具備したＤＭＸ出力部１２とを備えている。
【００４０】
さらに、チャネルデータ処理装置１は、設定データ記憶部７を参照して、そのデータをＨＴＭＬ（Ｈｙｐｅｒ　Ｔｅｘｔ　Ｍａｒｋｕｐ　Ｌａｎｇｕａｇ）等のデータに置き換えて、外部装置４で視認可能とするための可視化部１３と、同様にして設定データ記憶部７を参照し、未設定のＣｈａｎｎｅｌの有無を検出する未設定検出部たる未設定チャネル検出部１４と、未設定があれば、ＬＥＤ等の表示手段で注意を喚起すると共に、可視化部１３にその旨の信号を出力する異常通知部１５とを備えている。尚、上述の入力データ用バッファ９及び出力データ用バッファ１１には、夫々のＣｈａｎｎｅｌに対応した記憶領域が設けられており、チャネルデータ合成部１０は、入力データ用バッファ９から、所定のＣｈａｎｎｅｌデータを読み出して、一つのＤＭＸデータとして合成した後に、出力データ用バッファ１１へ格納するようになっている。
【００４１】
（システムの動作）
次に、上述のシステム構成を踏まえて、図１及び図２に基づき本実施形態のチャネルデータ処理装置１の動作について詳細に説明する。まず外部装置４の入力手段により（図示せず）、ＤＭＸ入力部８から入力される複数のＤＭＸ信号のＣｈａｎｎｅｌ毎のデータ合成及び、処理したＤＭＸデータを出力するためのＤＭＸ出力部１２の出力端子の指定等がなされると、それらの設定情報は、データ通信部５を介して設定部６へと出力され、設定部６を介して設定データ記憶部７へと格納される。尚、設定部６では入力手段（図示せず）により、Ｃｈａｎｎｅｌ毎のデータ処理の設定がされた場合には、データ記憶部７に格納されたデータにその設定を反映する。
【００４２】
一方、調光卓２から出力されたＤＭＸ信号は、ＤＭＸ入力部８を介して、入力データ用バッファ９に格納され、チャネルデータ合成部１０では、設定データ記憶部７を参照して設定情報を読み取り、その設定情報に基づいて、当該入力データ用バッファ９に格納された複数のＤＭＸデータの夫々から、複数のＣｈａｎｎｅｌデータを読み取ってそれらのＣｈａｎｎｅｌデータを再び一つのＤＭＸデータとして合成し、指定の出力データ用バッファ１１へ出力する。そして、その出力データ用バッファに格納されたデータは、ＤＭＸ出力部１２よりＤＭＸ信号として、照明機器３が接続された信号線上へと出力されるようになっている。
【００４３】
尚、上述のデータ処理について詳しく説明すると以下のとおりである。ここでは、一例として、入力端子▲１▼から入力されるＤＭＸ信号のＣｈａｎｎｅｌ１〜２００と、入力端子▲２▼から入力されるＤＭＸ信号のＣｈａｎｎｅｌ２０１〜５１２とを合成し、出力端子▲６▼から出力させる場合について具体的に説明する。まず、チャネルデータ合成部１０は、設定データ記憶部７を参照して上述の設定を把握すると、当該設定に基づき、入力データ用バッファ９内の入力端子▲１▼及び▲２▼に対応するバッファ９ａ及びｂを参照し、バッファ９ａよりＣｈａｎｎｅｌ１〜２００に相当するデータ、バッファ９ｂよりＣｈａｎｎｅｌ２０１〜５１２に相当するデータを読み出す。
【００４４】
次に、チャネルデータ合成部１０は、バッファ９ａ及び９ｂから読み出した両方のＣｈａｎｎｅｌデータを合成して、Ｃｈａｎｎｅｌ１〜５１２のデータを作成し、設定情報に従って出力データ用バッファ１１内のバッファ１１ｂへ出力し、ＤＭＸ出力部１２の出力端子▲６▼から所望のＤＭＸ信号が出力される。以上のようにして、Ｃｈａｎｎｅｌ毎にデータ合成処理がなされ、ＤＭＸ出力部１２から出力されたＤＭＸ信号は、照明機器３へ出力される一方、データ通信部５へと出力されて外部装置４へと出力され、チャネルデータ処理装置１で所望の動作がなされたかを確認することができる。また、本実施形態のチャネルデータ合成部１０は、入力されたＤＭＸ信号同士の演算を行うことが可能となっており、選択した所定のＣｈａｎｎｅｌデータ同士の加減算や乗除算をはじめ、任意の処理式によって演算を行うことが可能となっている。
【００４５】
ところで、チャネルデータ処理装置１は上述のデータ処理の他に、以下の動作を行っている。具体的に説明すると、設定データ記憶部７は、格納された設定情報を可視化部１３へと出力し、当該可視化部１３では、図３に示すように、チャネルデータ処理装置１とその入出力端子の擬似図形を描画しすると共に、入力端子▲１▼〜▲４▼の夫々に色彩を付し、出力端子▲５▼〜▲８▼にもチャネルデータ処理装置１での処理に従って色彩を付した映像情報を作成するようになっている。例えば、同図の一部を説明すると、入力端子▲２▼（青）から入力されたＤＭＸ信号は、出力端子▲５▼（青）から出力されており、入力端子▲１▼（赤）及び▲３▼（緑）から入力されたＤＭＸ信号は、合成されて出力端子▲６▼に赤と緑の縞模様として表現される。
【００４６】
従って、本実施形態の調光データ処理装置のユーザは、入力側の色彩と出力側の色彩とを比較することで、チャネルデータ処理装置１に入力されたＤＭＸ信号が、何れの出力端子からどのように処理されたのかを一目瞭然に把握することができる。尚、これらのビジュアル化処理は、上述したＨＴＭＬ等のデータを作成することにより実現し、当該データはデータ通信部５を介して外部装置４へと出力され、当該外部装置４の表示手段（図示せず）に表示されるようになっている。
【００４７】
また、チャネルデータ処理装置１は、設定が正常に行われたかを確認する動作も行っている。例えば、入力端子▲１▼から入力されるＤＭＸ信号のＣｈａｎｎｅｌ１〜２００と、入力端子▲２▼から入力されるＤＭＸ信号のＣｈａｎｎｅｌ２０１〜５１２とを合成したい場合に、両方のＣｈａｎｎｅｌの範囲が正しく設定されていなければ、正常なＤＭＸ信号を作成することはできない。具体例を挙げると、入力端子▲２▼から入力されるＤＭＸ信号のＣｈａｎｎｅｌの範囲として、Ｃｈａｎｎｅｌ２０１〜５１２を設定しなければならないにも係わらず、誤ってＣｈａｎｎｅｌ２１０〜５１２を設定してしまったような場合である。
【００４８】
未設定チャネル検出部１４は、設定データ記憶部７を参照して、このような誤りがないかどうか検出しており、未設定のＣｈａｎｎｅｌがあると、そのＣｈａｎｎｅｌの番号を異常通知部１５へ出力し、当該異常通知部１５では、ＬＥＤ等の表示手段で注意を喚起すると共に、可視化部１３にその旨の信号を出力する。可視化部１３では、未設定のＣｈａｎｎｅｌについて、ＢＬＩＮＫタグで点滅させる等のＨＴＭＬデータを作成して、データ通信部５を介して外部装置４へと出力し、当該外部装置４の表示手段（図示せず）では、未設定のＣｈａｎｎｅｌを把握することができるようになっている。
【００４９】
［第２の実施の形態］
（システムの構成）
次に、別の実施形態のチャネルデータ処理部１の構成について、図１及び図４に基づいて説明する。尚、上述の実施形態と同様の構成については、同一符号を付して説明を省略する。本実施形態のチャネルデータ処理部１は、図４に示すように、上述の実施形態の構成に加えて、データ通信部５及び設定部６を介して外部装置４から合成用のＣｈａｎｎｅｌデータ（調光レベルデータ）を受信して、当該データを格納する合成用データ記憶部１６と、その記憶部のデータとチャネルデータ合成部１０で合成されたＣｈａｎｎｅｌデータとを合成する既存データ合成部１７とを備えている。
【００５０】
（システムの動作）
次に、上述のシステム構成を踏まえて、図１及び図４に基づき本実施形態のチャネルデータ処理装置１の動作について詳細に説明する。尚、上述の実施形態と同様の動作については説明を省略又は簡略化することとする。まず外部装置４により、ＤＭＸ信号のＣｈａｎｎｅｌ毎のデータ合成及び、処理したＤＭＸデータを出力するためのＤＭＸ出力部１２の出力端子の指定等がなされると、それらの設定情報は、データ通信部５を介して設定部６へと出力され、設定部６を介して設定データ記憶部７へと格納される。尚、設定部６により、上述の設定がなされた場合には、データ記憶部７に格納されたデータにその設定を反映する。また、外部装置４若しくは設定部６により、Ｃｈａｎｎｅｌデータ（合成用データ）の入力がなされると、そのデータは合成用データ記憶部１６に格納される。
【００５１】
一方、調光卓２から出力されたＤＭＸ信号は、ＤＭＸ入力部８を介して、入力データ用バッファ９に格納され、チャネルデータ合成部１０では、設定データ記憶部７を参照して設定情報を読み取り、その設定情報に基づいて、当該入力データ用バッファ９に格納された複数のＤＭＸデータの夫々から、複数のＣｈａｎｎｅｌデータを読み取ってそれらのＣｈａｎｎｅｌデータを合成し、既存データ合成部１７へ出力する。既存データ合成部１７では、合成用データ記憶部１６に格納されたデータを読み出して、チャネルデータ合成部１より入力されたＣｈａｎｎｅｌデータと合成し、出力データ用バッファ１１へ出力する。そして、その出力データ用バッファに格納されたＤＭＸデータは、ＤＭＸ出力部１２よりＤＭＸ信号として、照明機器３が接続された信号線上へと出力されるようになっている。
【００５２】
尚、上述のデータ処理について詳しく説明すると以下のとおりである。ここでは、一例として、入力端子▲１▼から入力されるＤＭＸ信号のＣｈａｎｎｅｌ１〜２００と、入力端子▲２▼から入力されるＤＭＸ信号のＣｈａｎｎｅｌ２０１〜５１２とを合成し、その合成したＤＭＸ信号のＣｈａｎｎｅｌ１００〜３００を、合成用データ記憶部１６に格納してある別のＣｈａｎｎｅｌデータに置きかえて、出力端子▲７▼から出力させる場合について具体的に説明する。まず、チャネルデータ合成部１０は、上述の実施形態と同様にして、Ｃｈａｎｎｅｌ１〜５１２のデータを作成すると、設定情報に従って既存データ合成部１７へ出力する。既存データ合成部１７では、合成用データ記憶部１６を参照して、Ｃｈａｎｎｅｌ１〜５１２のデータのうち、Ｃｈａｎｎｅｌ１００〜３００分のＣｈａｎｎｅｌデータを置き換え、出力データ用バッファ１１内のバッファ１１ｃへ出力し、ＤＭＸ出力部１２の出力端子▲７▼から所望のＤＭＸ信号が出力される。
【００５３】
図５は、このデータ合成を概念的に示したものであり、既存データ合成部１７に入力されたデータのうち、合成用データ記憶部１６に外部装置４若しくは設定部６によって予め定義されたデータがあるものは、当該データに置き換わって出力データ用バッファ１１から出力される。例えば、同図に示すように、既存データ合成部１７のデータ▲１▼は、合成用データ記憶部１６に格納されたデータ▲２▼と合成され、当該データ▲２▼に定義された後半部分のデータが置き換わって、データ▲３▼として出力データ用バッファ１１に格納される。また、既存データ合成部１７のデータ▲４▼にあっては、同様にして中間部分が未定義のデータ▲５▼と合成され、データ▲６▼として出力データ用バッファ１１に格納される。
【００５４】
すなわち、これらの一例に示したように、外部装置４によって任意に定義されたデータが、既存データ合成部１７に入力されたデータの一部と置き換わって、当該置き換わったデータと、未置換のデータとが合成されるようになっている。尚、一部のデータを置き換えるのではなく、図６に示すように、既存データ合成部１７のデータ▲１▼を、合成用データ記憶部１６に格納されたデータ▲２▼と置き換えて、データ▲２▼をそのまま出力データ用バッファ１１に格納するようにしても良い。これは、入力されたＤＭＸ信号に関係なく、照明機器３のテストを行う場合に有効である。また、単にデータを置き換えるのではなく、合成用データ記憶部１６に調光の補正データを格納して、既存データ合成部１７に入力されたデータと演算処理を行うようにしても良い。
【００５５】
例えば、Ｃｈａｎｎｅｌ１の調光レベルが”３”であった場合に、補正データである調光レベル”２”を加減算することで、調光レベルを”１”又は”５”とすることができ、所望の照明機器３の調光を意図的に補正することができる。以上のようにして、Ｃｈａｎｎｅｌ毎にデータ合成がなされた後に既存データとの合成がなされ、ＤＭＸ出力部１２から出力されたＤＭＸ信号は、照明機器３へ出力される一方、データ通信部５へと出力されて外部装置４へと出力され、チャネルデータ処理装置１で所望の動作がなされたかを確認することができる。
【００５６】
［第３の実施の形態］
（システムの構成）
次に、別の実施形態のチャネルデータ処理部１の構成について、図１及び図７に基づいて説明する。尚、第１の実施形態と同様の構成については、同一符号を付して説明を省略する。本実施形態のチャネルデータ処理部１は、図７に示すように、第１の実施形態の構成と比較すると、チャネルデータ合成部１０の代わりに、入力された複数のＤＭＸ信号の夫々対応するＣｈａｎｎｅｌ毎に、当該Ｃｈａｎｎｅｌに格納されたデータを比較し、調光レベルの高いデータを選択して、一つのＤＭＸ信号として合成するハイエストデータ抽出部１８を備えている。ここで、ハイエストデータ抽出部１８が従来のＭＩＸ装置と異なるのは、ＤＭＸ信号同士の比較、すなわち全てのＣｈａｎｎｅｌの比較だけではなく、一部のＣｈａｎｎｅｌのみの比較を行って、所望の出力端子▲５▼〜▲９▼から出力できる点に特徴がある。
【００５７】
（システムの動作）
次に、上述のシステム構成を踏まえて、図７に基づき本実施形態のチャネルデータ処理装置１の動作について詳細に説明する。尚、上述の実施形態と同様の動作については説明を省略又は簡略化することとする。まず、外部装置４により、比較するＣｈａｎｎｅｌ及び、処理したＤＭＸデータを出力するためのＤＭＸ出力部１２の出力端子の指定等がなされると、それらの設定情報は、データ通信部５を介して設定部６へと出力され、設定部６を介して設定データ記憶部７へと格納される。尚、設定部６により、上述の設定がなされた場合には、データ記憶部７に格納されたデータにその設定を反映する。
【００５８】
一方、調光卓２から出力されたＤＭＸ信号は、ＤＭＸ入力部８を介して、入力データ用バッファ９に格納され、ハイエストデータ抽出部１８では、設定データ記憶部７を参照して設定情報を読み取り、その設定情報に基づいて、当該入力データ用バッファ９に格納された複数のＤＭＸデータの夫々から、複数のＣｈａｎｎｅｌデータを読み取ってそれらのＣｈａｎｎｅｌデータを比較して、再び一つのＤＭＸ信号として合成し、指定の出力データ用バッファ１１へ出力する。そして、その出力データ用バッファに格納されたデータは、ＤＭＸ出力部１２よりＤＭＸ信号として、照明機器３が接続された信号線上へと出力されるようになっている。
【００５９】
尚、上述のデータ処理について詳しく説明すると以下のとおりである。ここでは一例として、入力端子▲１▼及び▲２▼から夫々入力されるＤＭＸ信号のＣｈａｎｎｅｌ１〜２００同士を比較して調光レベルの高い方のデータを選択させると共に、Ｃｈａｎｎｅｌ２０１〜５１２については、入力端子▲１▼から入力されるＤＭＸ信号のデータをそのまま出力端子▲５▼から出力させる場合について具体的に説明する。まず、ハイエストデータ抽出部１８は、設定データ記憶部７を参照して上述の設定を把握すると、当該設定に基づき、入力データ用バッファ９内の入力端子▲１▼〜▲２▼に対応するバッファ９ａ〜ｂを参照し、バッファ９ａより全てのＣｈａｎｎｅｌのデータを読み出すと共に、バッファ９ｂよりＣｈａｎｎｅｌ１〜２００に相当するデータを読み出す。
【００６０】
次に、ハイエストデータ抽出部１８は、バッファ９ａ及び９ｂから読み出した両方のＣｈａｎｎｅｌ１〜２００データから、夫々対応するＣｈａｎｎｅｌ毎に比較し調光レベルの高いデータを選択すると共に、バッファ９ａから読み出したＣｈａｎｎｅｌ２０１〜５１２データを合成して、Ｃｈａｎｎｅｌ１〜５１２のデータを作成し、設定情報に従って出力データ用バッファ１１内のバッファ１１ａへ出力し、ＤＭＸ出力部１２の出力端子▲５▼から所望のＤＭＸ信号が出力される。以上のようにして、Ｃｈａｎｎｅｌ毎にハイエスト処理がなされ、ＤＭＸ出力部１２から出力されたＤＭＸ信号は、照明機器３へ出力される一方、データ通信部５へと出力されて外部装置４へと出力され、チャネルデータ処理装置１で所望の動作がなされたかを確認することができる。
【００６１】
また、本実施形態の未設定チャネル検出部１４は、ハイエスト処理を行うためのＣｈａｎｎｅｌデータの指定が適正に行われているか検出を行うようになっている。例えば、入力端子▲１▼及び▲２▼夫々のＣｈａｎｎｅｌ１〜２００を比較したい場合に、両方のＣｈａｎｎｅｌの範囲が正しく設定されていなければ、正常なＤＭＸ信号を作成することはできない。具体例を挙げると、入力端子▲２▼から入力されるＤＭＸ信号のＣｈａｎｎｅｌの範囲として、Ｃｈａｎｎｅｌ１〜２０１を設定しなければならないにも係わらず、誤ってＣｈａｎｎｅｌ１〜２１０を設定してしまったような場合である。未設定チャネル検出部１４は、設定データ記憶部７を参照して、このような誤りがないかどうか検出しており、未設定のＣｈａｎｎｅｌがあると、そのＣｈａｎｎｅｌの番号を異常通知部１５へ出力するようになっている。
【００６２】
［第４の実施の形態］
（システムの構成）
次に、別の実施形態のチャネルデータ処理装置１につき、図１及び図８のブロック図を用いて説明する。尚、上述の各実施形態と同様の構成については、同一の符号を付して説明を省略又は簡略化することとする。図８に示すように、本実施形態のチャネルデータ処理装置１は、入力された複数のＤＭＸ信号から夫々、設定された情報に従って選択された複数のＣｈａｎｎｅｌを、一つのＤＭＸ信号として合成するチャネルデータ合成部１０ａと、データ通信部５を介して外部装置４から合成用のＣｈａｎｎｅｌデータ（調光レベルデータ）を受信して、当該データを格納する合成用データ記憶部１６と、その記憶部のデータと入力されたＤＭＸ信号のＣｈａｎｎｅｌデータとを合成する既存データ合成部１７ａとを備えている。
【００６３】
また、チャネルデータ処理装置１は、入力された複数のＤＭＸ信号の夫々対応するＣｈａｎｎｅｌ毎に、当該Ｃｈａｎｎｅｌに格納されたデータを比較し、調光レベルの高いデータを選択して、一つのＤＭＸ信号として合成するハイエストデータ抽出部１８ａと、入力されたＤＭＸ信号のＣｈａｎｎｅｌデータを複製するデータ複製部１９とを備えており、これらのチャネルデータ合成部１０ａ、既存データ合成部１７ａ、ハイエストデータ抽出部１８ａ、データ複製部１９は、制御部２０からの指令を受けて動作をするようになっている。
【００６４】
（システムの動作）
次に、上述のシステム構成を踏まえて、図８に基づき本実施形態のチャネルデータ処理装置１の動作について詳細に説明する。まず外部装置４により、ＤＭＸ入力部８から入力される複数のＤＭＸ信号のＣｈａｎｎｅｌ毎のデータ合成や、それらのＣｈａｎｎｅｌのうち調光レベルの大きい方のデータの選択、並びにそれらの信号の複製、既存データとの合成及び、処理したＤＭＸデータを出力するためのＤＭＸ出力部１２の出力端子の指定等がなされると、それらの設定情報は、設定データ記憶部７へと格納される。尚、設定部６により、上述の設定がなされた場合には、データ記憶部７に格納されたデータにその設定を反映する。
【００６５】
一方、調光卓２から出力されたＤＭＸ信号は、ＤＭＸ入力部８を介して、入力データ用バッファ９に格納され、制御部２０では、設定データ記憶部７を参照して設定情報を読み取り、その設定情報に基づいて当該入力データ用バッファ９よりデータを読み取ると共に、必要に応じてチャネルデータ合成部１０ａ、既存データ複製部１７ａ、ハイエストデータ抽出部１８ａ、データ複製部１９でデータ処理を行って、出力データ用バッファ１１へ出力する。そして、その出力データ用バッファに格納されたデータは、ＤＭＸ出力部１２よりＤＭＸ信号として、照明機器３が接続された信号線上へと出力されるようになっている。
【００６６】
尚、上述のデータ処理について詳しく説明すると以下のとおりである。ここでは、一例として、入力端子▲１▼から入力されるＤＭＸ信号のＣｈａｎｎｅｌ１〜２００と、入力端子▲２▼から入力されるＤＭＸ信号のＣｈａｎｎｅｌ２０１〜５１２とを合成し、その合成したＤＭＸ信号と入力端子▲３▼から入力されるＤＭＸ信号との比較から、調光レベルの高いデータを選択させ、出力端子▲６▼から出力させる一方、入力端子▲３▼から入力されるＤＭＸ信号のＣｈａｎｎｅｌ１〜２００を別のＣｈａｎｎｅｌデータに置きかえて、出力端子▲７▼から出力させると共に、入力端子▲４▼から入力されるＤＭＸ信号を、出力端子▲５▼から出力させる場合について具体的に説明する。
【００６７】
まず、制御部２０は、設定データ記憶部７を参照して上述の設定を把握すると、当該設定に基づき、入力データ用バッファ９内の入力端子▲１▼〜▲４▼に対応するバッファ９ａ〜ｄを参照し、バッファ９ａよりＣｈａｎｎｅｌ１〜２００に相当するデータ、バッファ９ｂよりＣｈａｎｎｅｌ２０１〜５１２に相当するデータ、さらにバッファ９ｃ及び９ｄより全てのＣｈａｎｎｅｌのデータを読み出す。次に、制御部２０は、チャネルデータ合成部１０ａへバッファ９ａ及び９ｂから読み出した両方のデータを出力し、当該チャネルデータ合成部１０ａでは、両方のデータを合成して、Ｃｈａｎｎｅｌ１〜５１２のデータを作成し、制御部２０へと出力する。
【００６８】
そして、制御部２０では、ハイエストデータ抽出部１８ａへ、合成されたＣｈａｎｎｅｌデータとバッファ９ｃから読み出した両方のデータを出力し、当該ハイエストデータ抽出部１８ａでは、両方のデータから、Ｃｈａｎｎｅｌ毎に調光レベルの大小の判別を行って、大きい方の調光レベルのデータを選択して、全てのＣｈａｎｎｅｌのデータを作成し、制御部２０へと出力する。制御部２０は、入力された処理データを設定データ記憶部７に格納された設定情報に従って、出力データ用バッファ１１内のバッファ１１ｂへ出力し、ＤＭＸ出力部１２の出力端子▲６▼から所望のＤＭＸ信号が出力される。
【００６９】
一方、制御部２０は、バッファ９ｄから読み出したデータをデータ複製部１９へ出力すると共に、バッファ９ｃから読み出したデータを既存データ合成部１７ａへ出力する。データ複製部１９では、制御部２０から受けたデータを複製して、制御部２０へ出力し、制御部２０では、出力データ用バッファ１１内のバッファ１１ａへと出力して、ＤＭＸ出力部１２の出力端子▲５▼から所望のＤＭＸ信号が出力される。また、既存データ合成部１７ａでは、合成用データ記憶部１６を参照して、Ｃｈａｎｎｅｌ１〜２００分のＣｈａｎｎｅｌデータを置き換えて、制御部２０へ出力し、出力データ用バッファ１１内のバッファ１１ｃへと出力されて、ＤＭＸ出力部１２の出力端子▲７▼から所望のＤＭＸ信号が出力されるようになっている。
【００７０】
［第５の実施の形態］
（システムの構成）
上述の実施形態では、チャネルデータ処理装置１にて全ての処理が行われていたが、本実施形態では、チャネルデータ処理装置１の構成を図９に示すように、制御ユニット１ａとそのユニットに接続される複数の出力ユニット１ｂ〜１ｇ…（以下、各出力ユニット１ｎという）によって構成した点に特徴がある。各ユニットの概略を説明すると、制御ユニット１ａは、複数の調光卓２から出力されるＤＭＸ信号の入力を、外部装置４によって設定された情報に従って、選択して各出力ユニット１ｎへ出力すると共に、当該各出力ユニットのＤＭＸ信号の処理を制御するユニットである。一方、各出力ユニット１ｎは、制御ユニット１ａから出力された制御指令を受けて、同様に制御ユニット１ａから出力されるＤＭＸ信号を処理して、ＤＭＸ信号として照明機器３へと出力するユニットである。
【００７１】
以下、上述の概略を踏まえて、各ユニットについて詳細に説明する。尚、上述の各実施形態と同様の部分については、同一の符号を付して、説明を省略又は簡略化することとする。まず、制御ユニット１ａは、図１０に示すように、外部装置４と通信すると共に、各出力ユニット１ｎと一例としてＨＤＬＣ（Ｈｉｇｈ−ｌｅｖｅｌ　Ｄａｔａ　Ｌｉｎｋ　Ｃｏｎｔｒｏｌ）準拠の通信を行うデータ通信部５ａと、当該外部装置４から入力された各出力ユニット１ｎにおけるデータ処理の設定をユニット設定データ記憶部７ａへと出力したり、入力手段（図示せず）より単独でＣｈａｎｎｅｌ毎のデータ処理の設定を行うための設定部６とを備えている。
【００７２】
また、当該制御ユニット１ａは、図１０に示すように、複数の入力端子を具備したＤＭＸ入力部８と、入力データ用バッファ９と、各出力ユニット１ｎの制御等を行う制御部２０ａと、入力されたＤＭＸデータを複製するデータ複製部１９と、出力データ用バッファ１１と、各出力ユニット１ｎへＤＭＸ信号を出力するための複数の出力端子を具備したＤＭＸ出力部１２とを備えている。さらに、チャネルデータ処理装置１は、外部装置４で視認可能とするための可視化部１３と、未設定のＣｈａｎｎｅｌの有無を検出する未設定チャネル検出部１４と、未設定があれば注意を喚起すると共に、可視化部１３にその旨の信号を出力する異常通知部１５とを備えている。
【００７３】
従って、第４の実施形態のチャネルデータ処理装置１と比較すると、制御ユニット１ａは、各出力ユニット１ｎの制御等を行うための制御部２０ａが設けられている点、そのために、データ通信部５ａが、外部装置４との通信のみならず、当該各出力ユニット１ｎとデータの送受信を行う点、チャネルデータ処理装置１全体としてのＣｈａｎｎｅｌ毎のデータ処理の設定を記憶している設定データ記憶部７ではなく、各ユニットとしてのＣｈａｎｎｅｌ毎のデータ処理の設定を記憶しているユニット設定データ記憶部７ａを採用している点、入力データ用バッファ９と出力データ用バッファ１１との間には、当該制御ユニット１ａが設けられ、この制御ユニット１ａとデータ複製部１９とが接続されている点、チャネルデータ合成部１０ａ等のデータ処理部分がない点で相違する。
【００７４】
一方、各出力ユニット１ｎについて、出力ユニット１ｂを代表として説明すると、当該出力ユニット１ｂは、図１１に示すように、制御ユニット１ａとＨＤＬＣ準拠の通信を行うデータ通信部５ｂと、制御ユニット１ａから出力されたデータ処理の設定を格納する設定データ記憶部７と、制御ユニット１ａから出力されたＤＭＸ信号を入力するための複数の入力端子を具備したＤＭＸ入力部８と、入力データ用バッファ９と、そのバッファ内のデータから出力データを作成等をするための制御部２０と、出力データ用バッファ１１と、複数の出力端子を具備したＤＭＸ出力部１２とを備えている。
【００７５】
さらに、チャネルデータ処理装置１はチャネルデータ合成部１０ａと、制御ユニット１ａを介して外部装置４から合成用データ受信して、当該データを格納する合成用データ記憶部１６と、既存データ合成部１７ａと、ハイエストデータ抽出部１８ａと、データ複製部１９とを備えている。従って、上述の実施形態のチャネルデータ処理装置１と比較すると、出力ユニット１ｂは、制御ユニット１ａとデータの送受信を行うデータ通信部５ｂを設けてある点、単独でＣｈａｎｎｅｌ毎のデータ処理の設定を行うための設定部６がない点、可視化部１３、未設定チャネル検出部１４、異常通知部１５がない点で相違する。
【００７６】
ところで、制御ユニット１ａと各出力ユニット１ｎとの通信は、上述のようにＨＤＬＣに準拠して行われており、図１２（ａ）に示すパケットフォーマットが用いられる。具体的に当該フォーマットについて説明すると、同図に示すように、制御ユニット１ａ又は各出力ユニット１ｎ夫々の識別子を格納するアドレスＡと、制御ユニット１ａと各出力ユニット１ｎとの間で通信する情報の種類を定義するタイプＴと、制御ユニット１ａから各出力ユニット１ｎへの要求毎にインクリメント（増加）する番号を格納するシーケンス番号Ｓｎと、送信するデータのサイズを格納するサイズＤＳと、当該送信データを格納する情報フィールドＩｎとを含んで構成されている。
【００７７】
尚、当該フォーマットの前後には、データの開始及び終了を意味するフラグが付加されると共に、データが正常に送信されたかどうか確認するためのフレームチェックシーケンスが情報フィールドＩｎの後に付加されるが、図示は省略する。
【００７８】
（システムの動作）
次に、以上のシステム構成及びパケットフォーマットを踏まえて、本実施形態の調光データ処理装置の動作について詳細に説明する。尚、上述の実施形態と同様の動作については、説明を省略することとする。まず制御ユニット１ａは、各出力ユニット１ｎに対して点呼式ポーリングを行っており、所定時間毎に接続状況要求を出力し、各出力ユニット１ｎの動作状況を確認している。具体的には、図１２（ｂ）に示すように、各出力ユニット１ｎ夫々の識別子をアドレスＡに指定して、タイプＴに接続状況要求である旨のデータＳＴＡＴ＿ＲＥＱを格納し、さらに所定のシーケンス番号Ｓｎ及びサイズＤＳを定めて、情報フィールドＩｎに各出力ユニットの動作の有無を書き込むためのＩＤリストを格納し、各出力ユニットに順に送信する。
【００７９】
ＩＤリストは、各出力ユニット１ｎ毎に個別に割り当てられた格納領域ＩＤ１〜ＩＤｎであって、夫々の格納領域ＩＤ１〜ＩＤｎには、例えば”１”が動作中、”０”が停止中というように、１ビットのデータが格納されている。そして、接続状況要求を受けた各出力ユニット１ｎは、アドレスＡが自己の識別子であるか判断し、自己の識別子であれば、図１２（ｃ）に示すように、制御ユニット１ａの識別子をアドレスＡに指定して、タイプＴに接続状況応答である旨のデータＳＴＡＴ＿ＲＥＳを格納し、当該接続状況要求と同じシーケンス番号Ｓｎ並びにサイズＤＳを定めて、情報フィールドＩｎに自己の動作状況を示すＩＤリストとステータスを格納し、制御ユニット１ａに返信する。
【００８０】
より詳しく説明すると、ＩＤリストには、自己が動作中であれば自己の格納領域に”１”を格納する一方、停止中であれば”０”を格納し、ステータスには動作や停止のみならず、より詳細な動作状況を格納する。次に、外部装置４より制御ユニット１ａに対して、各出力ユニット１ｎにおけるデータ処理が設定されると、その設定情報は図１０に示すユニット設定データ記憶部７ａに格納される。制御ユニット１ａの制御部２０ａは、当該ユニット設定データ記憶部７ａを参照して、入力端子▲１▼〜▲５▼から入力されたＤＭＸ信号が、出力端子▲６▼〜▲９▼の何れに出力される設定となっているか入力信号の選択を確認する。
【００８１】
そして、制御部２０ａは、まず入力データ用バッファ９よりデータを読み出し、データ複製部１９へ出力する。データ複製部１９では、制御部２０ａから受けたデータを複製して制御部２０ａへ出力し、制御部２０ａでは、出力データ用バッファ１１へと出力して、ＤＭＸ出力部１２から所望のＤＭＸ信号が出力される。一方、制御ユニット１ａの制御部２０ａは、各出力ユニット１ｎのうち何れの出力ユニットに設定がなされているか、ユニット設定データ記憶部７ａを参照し、ＩＤリストと比較して、対象の出力ユニット１ｂ〜１ｇ…が動作しているか判断する。
【００８２】
その結果、対象の出力ユニット１ｂ〜１ｇ…が動作していない場合には、データ通信部５ａを介して、外部装置４にその旨の信号を送信する。一方、対象の出力ユニット１ｂ〜１ｇ…が動作している場合には、ユニット設定データ記憶部７ａを参照して、対象の出力ユニット１ｂ〜１ｇ…毎に個別の制御指令を作成し、当該各出力ユニット１ｂ〜１ｇ…に出力する。具体的には、図１３（ａ）に示すように、対象の出力ユニット１ｂ〜１ｇ…の識別子をアドレスＡに指定して、タイプＴに情報設定要求である旨のデータＳＥＴ＿ＲＥＱを格納し、さらに所定のシーケンス番号Ｓｎ及びサイズＤＳを定めて、制御指令である旨のデータＩＤと、指令内容である書き込みデータとを夫々情報フィールドＩｎに格納し、各出力ユニットに夫々送信する。
【００８３】
そして、情報設定要求を受けた各出力ユニット１ｎは、アドレスＡが自己の識別子であるか判断し、自己の識別子であれば、図１３（ｂ）に示すように、制御ユニット１ａの識別子をアドレスＡに指定して、タイプＴに情報設定応答である旨のデータＳＥＴ＿ＲＥＳを格納し、当該情報設定要求と同じシーケンス番号Ｓｎ並びにサイズＤＳを定めて、情報フィールドＩｎに制御指令である旨のデータＩＤと設定結果とを格納し、制御ユニット１ａに返信する。ここで、データＩＤは書き込むデータの種類を指定する識別子であって、制御指令の他、例えば当該出力ユニットの状態を設定するための設定指令等がある。
【００８４】
また、情報設定要求を受けた当該各出力ユニット１ｎは、制御ユニット１ａへ情報設定応答を返信する一方、図１１に示す設定データ記憶部７へ、受信した制御指令を格納させる。そして、各出力ユニット１ｎの制御部２０では、当該設定データ記憶部７を参照して設定情報を読み取り、その設定情報に基づきチャネルデータ合成部１０ａ等でデータ処理を行って、出力データ用バッファ１１へ出力する。以上のようにして、調光レベルの大小の判別や、データの合成等の処理がなされ、ＤＭＸ出力部１２から出力されたＤＭＸ信号は、照明機器３へ出力される一方、制御ユニット１ａの制御部２０ａへと出力され、さらに外部装置４へと出力されて、チャネルデータ処理装置１（制御ユニット１ａ及び各出力ユニット）で所望の動作がなされたかを確認することができる。
【００８５】
尚、点呼式ポーリングを行うと説明したが、ハブポーリングであっても差し支えない。また、可視化部１３、未設定チャネル検出部１４、異常検知部１５は、制御ユニット１ａに設けるとして説明したが、これに限定されるものではなく、各出力ユニットに設けても良い。すなわち、設定データ記憶部の設定情報を直接確認できるための可視化部１３や、当該各出力ユニットに設定異常がないか確認するための未設定チャネル検出部１４、異常検知部１５を設けるようにしても良いものである。
【００８６】
［各実施形態共通の補足説明］
次に、各実施形態のシステム構成につき補足説明をする。上述で外部装置４とデータ通信部５、５ａとの通信手段は、Ｅｔｈｅｒｎｅｔ（登録商標）であると説明したが、これに限定するものではなく、ＲＳ２３２Ｃ等のシリアル通信を用いても良いし、通信プロトコルもＴｅｌｎｅｔやＳＮＭＰ（Ｓｉｍｐｌｅ　Ｎｅｔｗｏｒｋ　Ｍａｎａｇｅｍｅｎｔ　Ｐｒｏｔｏｃｏｌ）を用いても良い。また、外部装置４を集中管理センター等に設置し、インターネットや電話回線等を介して遠隔のホール等に設置したチャネルデータ処理装置１の設定をできるようにしても良いものである。
【００８７】
さらに、第４の実施形態のチャネルデータ処理装置１及び、第５の実施形態の出力ユニット１ｂ〜１ｇ…には、チャネルデータ合成部１０ａ、既存データ合成部１７ａ、ハイエストデータ抽出部１８ａ、データ複製部１９を備えていると説明したが、何れか二つで構成したり、これら複数の組み合せで構成するようにしても良い。また、これら各部での処理は並行に実施されても良いし、例えば、チャネルデータ合成部１０ａ、既存データ合成部１７ａ、ハイエストデータ抽出部１８ａ、データ複製部１９の順等のように直列的に処理を行うようにしても良い。
【００８８】
さらに、設定部６から合成用データ記憶部１６のデータを設定できるようにしても良い。また、設定データ記憶部７、チャネルデータ合成部１０ａ、合成用データ記憶部１６、既存データ合成部１７ａ、ハイエストデータ抽出部１８ａ、データ複製部１９の全て若しくは何れかの組み合せは、ＣＰＵ単体やＣＰＵとＣＰＬＤ（Ｃｏｍｐｌｅｘ　Ｐｒｏｇｒａｍｍａｂｌｅ　Ｌｏｇｉｃ　Ｄｅｖｉｃｅ）等で実現しても良いものである。
【００８９】
【発明の効果】
以上のように、本願発明は調光信号全体の処理、すなわち複数ある照明機器の全ての調光レベルデータが一単位として処理されるのではなく、所定の調光レベルデータを読み出し、必要に応じてハイエスト処理等を行って、所定のデータ領域に格納させるようになっている。従って、従来のパッチ盤で行われていた手作業での入力端子と出力端子との接続のし直しがなく、配線の接続変更が電子的に設定でき、調光システムの構築にあたってＭＩＸ装置やスプリットを追加接続する必要がないので、短時間での接続が可能となる。つまり、ＭＩＸ装置等を直列に複数接続せずとも、複雑な調光システムを実現できるので、調光システムの構築が容易であると共に、ＭＩＸ装置の多重接続に起因した遅延がなく、コンサート等、目紛しくシーンが変化する場合であっても所望の調光が実現できるという効果を奏する。
【００９０】
尚、特に請求項４乃至７又は、請求項１２乃至１５何れか記載の発明にあっては、調光データ処理装置への入力とは関係なく、意図的に調光レベルを変更できるという効果を奏する。
【００９１】
また、請求項６又は請求項７又は請求項１４又は請求項１５記載の発明にあっては、特定の照明機器だけを数段階明るくしたり暗くするといった補正が容易であるという効果を奏する。
【００９２】
さらに、請求項９記載の発明にあっては、制御ユニットと出力ユニットとを備えたことにより、大規模な調光システムを構築する場合であっても、出力ユニットの数を増やすことによって、容易に対応が可能であるという効果を奏する。
【００９３】
また、請求項１７又は請求項２０記載の発明にあっては、外部装置から設定等ができるので、調光データ処理装置が設置してある場所まで行かずとも遠隔設定を行うことができるという効果を奏する。
【００９４】
さらに、請求項１８記載の発明にあっては、調光データ処理装置に入力された調光信号が、どのように処理されたのかを明瞭に把握することができると共に、設定誤りを早期に発見できるという効果を奏する。
【００９５】
そして、請求項１９記載の発明にあっては、未設定の調光レベルデータの有無を検出できるので、調光システムの構築がより容易になると共に、ユーザの設定のし忘れを防止することができるという効果を奏する。
【図面の簡単な説明】
【図１】本願の基本的思想を表した調光データ処理装置のブロック図である。
【図２】第１の実施形態のチャネルデータ処理装置を示すブロック図である。
【図３】可視化部によって視認可能とされた状態を示す図である。
【図４】第２の実施形態のチャネルデータ処理装置を示すブロック図である。
【図５】予め設定された全てのＣｈａｎｎｅｌデータを、入力されたＣｈａｎｎｅｌデータと置き換える状況を示す概念図である。
【図６】予め設定された一部のＣｈａｎｎｅｌデータを、入力されたＣｈａｎｎｅｌデータに合成する状況を示す概念図である。
【図７】第３の実施形態のチャネルデータ処理装置を示すブロック図である。
【図８】第４の実施形態のチャネルデータ処理装置を示すブロック図である。
【図９】第５の実施形態のチャネルデータ処理装置のブロック図である。
【図１０】第５の実施形態の制御ユニットを示すブロック図である。
【図１１】第５の実施形態の各出力ユニットを示すブロック図である。
【図１２】（ａ）は制御ユニットと各出力ユニットとの通信に用いられるパケットフォーマットを示す図であり、（ｂ）及び（ｃ）は夫々、接続状況要求とその応答のために用いられるフォーマットである。
【図１３】（ａ）及び（ｂ）は夫々、情報設定要求とその応答のために用いられるフォーマットである。
【図１４】調光配線システムを示すブロック図である。
【図１５】（ａ）は調光卓２を示すブロック図である一方、（ｂ）〜（ｄ）は調光配線システムに用いられる各機器を示すブロック図であって、順に従来のパッチ盤、スプリット、ＭＩＸ装置を示すブロック図である。
【図１６】調光配線システムにおける構築例を示すブロック図である。
【符号の説明】
１　　　　　チャネルデータ処理装置
１ａ　　　　制御ユニット
１ｂ〜１ｇ　出力ユニット
２　　　　　調光卓
３　　　　　照明機器
４　　　　　外部装置
６　　　　　設定部
７　　　　　設定データ記憶部
９　　　　　入力データ用バッファ
１０　　　　チャネルデータ合成部
１０ａ　　　チャネルデータ合成部
１１　　　　出力データ用バッファ
１３　　　　可視化部
１４　　　　未設定チャネル検出部
１５　　　　異常検知部
１６　　　　合成用データ記憶部
１７　　　　既存データ合成部
１７ａ　　　既存データ合成部
１８　　　　ハイエストデータ抽出部
１８ａ　　　ハイエストデータ抽出部
１９　　　　データ複製部
２０　　　　制御部
２０ａ　　　制御部
【図１】
2004119334.tif 000003
【図２】
2004119334.tif 000004
【図３】
2004119334.tif 000005
【図４】
2004119334.tif 000006
【図５】
2004119334.tif 000007
【図６】
2004119334.tif 000008
【図７】
2004119334.tif 000009
【図８】
2004119334.tif 000010
【図９】
2004119334.tif 000011
【図１０】
2004119334.tif 000012
【図１１】
2004119334.tif 000013
【図１２】
2004119334.tif 000014
【図１３】
2004119334.tif 000015
【図１４】
2004119334.tif 000016
【図１５】
2004119334.tif 000017
【図１６】
2004119334.tif 000018
【手続補正書】
【提出日】平成14年10月11日(2002.10.11)
【手続補正１】
【補正対象書類名】明細書
【補正対象項目名】請求項９
【補正方法】変更
【補正の内容】
【請求項９】
照明機器の調光レベルデータを格納するためのデータ領域を複数備えた調光信号の入出力を行うと共に、その調光信号の処理を行わせるための制御指令を出力する制御ユニットと、その制御ユニットから出力される調光信号を前記制御指令に従って処理して、前記照明機器が接続された所定の信号線上に出力する複数の出力ユニットとを備えた調光データ処理装置であって、
前記制御ユニットは、出力ユニットにおける調光信号の処理についての設定情報を記憶するユニット設定データ記憶部と、そのユニット設定データ記憶部を参照して設定情報を読み取り、その設定情報に従って調光信号の処理を出力ユニットに行わせるための制御指令を作成する制御部とを備え、
前記出力ユニットは、当該制御ユニットから出力された調光信号から、夫々調光レベルデータを抽出して格納する入力データ用バッファと、その入力データ用バッファから読み出した所定の調光レベルデータに対し、当該制御ユニットから出力される制御指令に基づいて所定の処理を行って、当該調光信号における所定のデータ領域へ格納するための設定情報を記憶する設定データ記憶部と、
その設定データ記憶部に記憶された情報に基づいて、前記入力データ用バッファから複数の調光レベルデータを読み出し、前記データ領域に夫々格納されるように、当該複数の調光レベルデータの処理を行う制御部と、その制御部で処理された複数の調光レベルデータを格納し、それらの格納された調光レベルデータを当該調光信号として出力させるための出力データ用バッファと、を備えていることを特徴とする調光データ処理装置。
【手続補正２】
【補正対象書類名】明細書
【補正対象項目名】００２５
【補正方法】変更
【補正の内容】
【００２５】
また、照明機器の調光レベルデータを格納するためのデータ領域を複数備えた調光信号の入出力を行うと共に、その調光信号の処理を行わせるための制御指令を出力する制御ユニットと、その制御ユニットから出力される調光信号を前記制御指令に従って処理して、前記照明機器が接続された所定の信号線上に出力する複数の出力ユニットとを備えた調光データ処理装置であって、
前記制御ユニットは、出力ユニットにおける調光信号の処理についての設定情報を記憶するユニット設定データ記憶部と、そのユニット設定データ記憶部を参照して設定情報を読み取り、その設定情報に従って調光信号の処理を出力ユニットに行わせるための制御指令を作成する制御部とを備え、
前記出力ユニットは、当該制御ユニットから出力された調光信号から、夫々調光レベルデータを抽出して格納する入力データ用バッファと、その入力データ用バッファから読み出した所定の調光レベルデータに対し、当該制御ユニットから出力される制御指令に基づいて所定の処理を行って、当該調光信号における所定のデータ領域へ格納するための設定情報を記憶する設定データ記憶部と、
その設定データ記憶部に記憶された情報に基づいて、前記入力データ用バッファから複数の調光レベルデータを読み出し、前記データ領域に夫々格納されるように、当該複数の調光レベルデータの処理を行う制御部と、その制御部で処理された複数の調光レベルデータを格納し、それらの格納された調光レベルデータを当該調光信号として出力させるための出力データ用バッファと、を備えていることをとしたものも良い（請求項９）。